(57)【要約】【課題】  自動選局時のミスストップの発生を防止し、高い精度で自動選局を行うことができる受信機を提供する。【解決手段】  アンテナ１からの受信信号からＩＦ信号を生成し、且つ、該受信信号に基づいてＳＤ信号を生成して出力するチューナ回路２と、チューナ回路から出力されるＳＤ信号の有無を検出するＳＤ信号検出回路１０と、チューナ回路から出力されるＩＦ信号をカウントするＩＦカウント処理を実行するＩＦカウント部３８と、ＳＤ信号検出回路１０からＳＤ信号が有る旨の検出結果を受け取った場合にＩＦカウント部にＩＦカウント処理を実行させ、ＳＤ信号が無い旨の検出結果を受け取った場合にＩＦカウント部にＩＦカウント処理の実行を停止させ、該ＩＦカウント処理で得られたカウント値が所定値である場合に自動選局が終了した旨を判断する制御部４とを備えている。【選択図】        図１
2006295315.tif 000002
【特許請求の範囲】
【請求項１】
電波を受信したアンテナから送られてくる受信信号からＩＦ信号を生成して出力し、且つ、該受信信号に基づいて、放送局から送信された放送信号の有無を表すＳＤ信号を生成して出力するチューナ回路と、
前記チューナ回路から出力されるＳＤ信号の有無を検出するＳＤ信号検出回路と、
前記チューナ回路から出力されるＩＦ信号をカウントするＩＦカウント処理を実行するＩＦカウント部と、
前記ＳＤ信号検出回路からＳＤ信号が有る旨の検出結果を受け取った場合に前記ＩＦカウント部にＩＦカウント処理を実行させ、ＳＤ信号が無い旨の検出結果を受け取った場合に前記ＩＦカウント部にＩＦカウント処理の実行を停止させ、該ＩＦカウント処理で得られたカウント値が所定値である場合に自動選局が終了した旨を判断する制御部
とを備えた受信機。
【請求項２】
ＳＤ信号検出回路は、ＩＦカウント部において行われるＩＦカウント処理と並行して、ＳＤ信号の有無の検出を継続し、検出結果を制御部に送ることを特徴とする請求項１記載の受信機。
【請求項３】
ＳＤ信号検出回路における検出結果に応じて、ＩＦカウント部で行われるＩＦカウント処理によって得られるカウント値、該ＩＦカウント処理におけるカウント方法および該ＩＦカウント処理におけるカウント時間の少なくとも１つを変更する補正手段を備えたことを特徴とする請求項１または請求項２記載の受信機。
【発明の詳細な説明】
【技術分野】
【０００１】
この発明は、ラジオ放送等を受信する受信機に関し、特に放送局から送出される放送電波をサーチして希望放送局を自動的に選択する自動選局の技術に関する。
【背景技術】
【０００２】
従来、放送局から送出される放送電波をサーチして希望放送局にチューニング（同調）させ、以て所望の放送局を自動的に選択する自動選局機能を備えた受信機が知られている（特許文献１参照）。この受信機は、放送電波をアンテナで受信することにより得られた受信信号が入力されるチューナ回路と、このチューナ回路から出力される中間周波信号（以下、「ＩＦ信号」という）をカウントするＩＦカウント部と、このＩＦカウント部におけるカウント値（以下、「ＩＦカウント値」という）が所定値である場合にチューナ回路にチューニングに必要な電圧を送るＰＬＬ回路と、チューナ回路から出力されるステーションディテクタ信号（以下、「ＳＤ信号」という）とＩＦカウント部から出力されるＩＦカウント値とに基づきＰＬＬ回路を制御するための信号を生成して該ＰＬＬ回路に送るマイクロコンピュータとを備えている。
【０００３】
ＳＤ信号は、受信信号の周波数変移に基づき現在受信している周波数の信号に放送信号（放送局から送出された信号をいう。以下、同じ）が存在するか否かを検出した結果を示す信号であり、放送信号が存在するときは“１”、放送信号が存在しないときは“０”となる。また、ＩＦカウント部でカウントされるＩＦカウント値は、チューナ回路で所定の周波数の信号を受信しているときは、所定値、例えば１０．７ＭＨｚ±２５ｋＨｚとなる。
【０００４】
このような従来の受信機では、自動選局時に放送局の有無を判定する場合は、先ず、チューナ回路から送られてくるＳＤ信号や、ＩＦ信号を整流して得られたシグナルメータ信号（以下、「Ｓメータ信号」という）等の電界強度を検出し、この検出結果に基づいて放送信号が有ることが判定された後に、ＩＦカウント部において、所定の判定基準に従ってＩＦ信号をカウントするＩＦカウント処理が開始される。そして、このＩＦカウント処理の結果に基づいて放送局の有無が判定される。この判定により、放送局が有ると判定された場合は、あらかじめ指定された自動選局方法に従って、自動選局動作を解除して受信状態に移行し、または、その放送局から送信される放送信号の周波数をメモリに記憶した後に現在受信している信号の周波数を１周波数ステップ（例えば０．１ＭＨｚ）だけインクリメントまたはデクリメントして次の放送局を選択するための自動選局動作に移行する。
【０００５】
【特許文献１】特開２００２−３６８５８５号公報
【発明の開示】
【発明が解決しようとする課題】
【０００６】
ところで、上述した従来の受信機における自動選局動作では、ＳＤ信号等に基づいて放送信号が有ることが判定された後に行われるＩＦカウント処理中においては、放送信号の有無を表すＳＤ信号の状態は参照されない。従って、車などに搭載されて移動することによって、あるいは、電波障害、外来ノイズ等の影響によって電波の状態が変化するとＳＤ信号の状態も変化するが、ＩＦカウント処理は、ＳＤ信号とは無関係に行われるため、放送信号が無い状態でＩＦカウント処理が行われる状態が発生する。
【０００７】
また、ＳＤ信号が電界強度によって変化している状態では、ＩＦ信号が欠落する場合も発生するが、ＩＦカウント処理中は、ＳＤ信号の状態とは無関係にＩＦカウント処理が継続されるため、カウントミスが発生する。このような状態が発生すると、正常なＩＦカウント値を取リ込むタイミングの判断が困難になり、放送局の有無の判定に誤りが生じる場合がある。その結果、放送局から送信されている放送信号が有るにも拘わらす選局できなかったり、逆に、放送信号が無いにも拘わらず選局が行われたりといったミスストップが発生するという問題がある。
【０００８】
この発明は、このような問題を解消するためになされたものであり、自動選局時のミスストップの発生を防止し、高い精度で自動選局を行うことができる受信機を提供することを目的とする。
【課題を解決するための手段】
【０００９】
この発明に係る受信機は、電波を受信したアンテナから送られてくる受信信号からＩＦ信号を生成して出力し、且つ、該受信信号に基づいて、放送局から送信された放送信号の有無を表すＳＤ信号を生成して出力するチューナ回路と、チューナ回路から出力されるＳＤ信号の有無を検出するＳＤ信号検出回路と、チューナ回路から出力されるＩＦ信号のカウント処理を実行するＩＦカウント部と、ＳＤ信号検出回路からＳＤ信号が有る旨の検出結果を受け取った場合にＩＦカウント部にＩＦカウント処理を実行させ、ＳＤ信号が無い旨の検出結果を受け取った場合にＩＦカウント部にＩＦカウント処理の実行を停止させ、該ＩＦカウント処理で得られたカウント値が所定値である場合に自動選局が終了した旨を判断する制御部とを備えている。
【発明の効果】
【００１０】
この発明によれば、ＳＤ信号検出回路からＳＤ信号が有る旨の検出結果を受け取った場合にＩＦカウント部にＩＦカウント処理を実行させ、ＳＤ信号が無い旨の検出結果を受け取った場合にＩＦカウント部にＩＦカウント処理の実行を停止させるように構成されている。すなわち、従来の受信機では、ＳＤ信号が有る、つまり「放送局あり」と判定されてＩＦカウント処理に移行した後は、ＳＤ信号の状態変化を参照することは行なわれていないのに対し、この発明に係る受信機では、ＩＦカウント処理に移行した後も、継続してＳＤ信号の状態変化が参照され、ＳＤ信号が有る状態から無しの状態に変化することにより「放送局なし」と判定されている期間中は、ＩＦカウント処理は一時的に中断され、ＳＤ信号が無しの状態から有りの状態に再び変化することにより「放送局あり」と判定された場合に、ＩＦカウント処理が再開される。従って、「放送局なし」と判定されている期間中にＩＦカウント処理が行われないので、カウントミスは発生しない。その結果、自動選局時のミスストップの発生を防止することができるので、高い精度で自動選局を行うことができる。
【発明を実施するための最良の形態】
【００１１】
以下、この発明の実施の形態を、図面を参照しながら詳細に説明する。
実施の形態１．
図１は、この発明の実施の形態１に係る受信機の構成を示すブロック図である。この受信機は、アンテナ１、チューナ回路２、ＰＬＬ回路３、マイクロコンピュータ部（以下、「マイコン」と略する）４、操作部５、表示部６、増幅回路７およびスピーカ８、基準発振回路９、ＳＤ信号検出回路１０から構成されている。このＳＤ信号検出回路１０については具体的回路構成を図２に示す。
【００１２】
アンテナ１は、放送局から送出されるラジオ放送の電波を受信して電気信号に変換する。このアンテナ１において得られた電気信号は、受信信号としてチューナ回路２に送られる。
【００１３】
チューナ回路２は、高周波増幅回路２１、局部発振器２２、混合回路２３、中間周波数増幅回路２４、検波回路２５、ディエンファシス、ＮＫ回路２６から構成され、アンテナ１から送られてくる受信信号を高周波増幅した後に、ＰＬＬ回路３から送られてくる同調信号で指定される周波数のＩＦ信号に変換し、ＰＬＬ回路３に送る。
【００１４】
ＰＬＬ回路３は、基準発振回路９に接続されたディバイダ３１、ローパスフイルタ部３２、位相比較器３３、プリスケーラ３４、プログラマブル、ディバイダ３５、ユニバーサル、カウンタ３６、データシフトレジスタ、ラッチ３７から構成され、自動選局時にマイコン４から送られてくる指示に応じて、チューニングに必要なチューニング電圧Ｖｔを生成し、このチューニング電圧Ｖｔはチューナ回路２に送られる。ここで、ユニバーサル、カウンタ３６、データシフトレジスタ、ラッチ３７はＩＦカウント部３８を構成している。
マイコン４は、Ａ／Ｄ変換機４１を有し、操作部５、表示部６が接続されている。操作部５は、ユーザが、受信に関する指示（自動選局の指示を含む）を行うために使用される。この操作部５で指示された内容は、操作情報としてマイコン４に送られる。表示部６は、マイコン４から送られてくる信号に応じて、受信状態を表示する。増幅回路７は、チューナ回路２から送られてくる検波された信号を増幅する。この増幅回路７で増幅された信号はスピーカ８に送られる。スピーカ８は、増幅回路８から送られてくる信号に基づき音を発生する。
【００１５】
次に、上記のように構成される、この発明の実施の形態１に係る受信機の概略の動作を説明する。
操作キー等により自動選局動作の指示を受けたマイクロコンピューター部４は、受信周波数情報をデータシフトレジスタ、ラッチ部３７を経由し、プログラマブル、ディバイダ部３５に送る。ディバイダ部３１は基準発振回路９からのＰＬＬ基準発振周波数情報を分周し、その情報を位相比較器３３へ送る。この位相比較器３３では、プログラマブル、ディバイダ部３５からの情報と、ディバイダ部３１からのＰＬＬ基準発振周波数情報とを比較して、誤差信号をローパスフィルタ部３２に送り出している。このローパスフィルタ部３２は一種の積分器であり、位相比較器３３からの誤差信号を平均化し、局部発振に必要な直流電圧を生成し、この直流電圧をチューニング電圧として、高周波増幅回路２１の同調回路や局部発振回路部２２（電圧制御局部発振器（Ｖ．Ｃ．Ｏ））に供給している。この局部発振回路２２では、チューニング電圧に応じた発振周波数が発生する。この発振周波数は一部を混合回路２３へ供給し、また一部はプリスケーラ３４を経由して、プログラマブル、ディバイダ部３５にフィードバックされ、位相比較器３３で、ＰＬＬ部基準発振周波数情報と比較し、再び周波数の誤差分を誤差信号としてローパスフィルタ部３２に送り、フィードバック制御を行うＰＬＬ回路が構成されている。
【００１６】
また、混合回路２３には、局部発振回路２２からの局部発振周波数の他に、アンテナ１より入力された受信周波数が、高周波増幅回路２１で同調、増幅処理し加えられる。内部では混合回路２２から加えられた局部発振周波数が受信周波数から引かれる処理が行われて、中間周波数ＩＦが出力される。この中間周波数ＩＦは、中間周波数増幅回路２４に加えられ、入力された中間周波数信号を増幅し、信号を所定の振幅に制限し出力している。出力された中間周波数信号ＩＦの一部はＰＬＬ回路３のユニバーサル、カウンタ部３６へ送られ、ＩＦカウント動作が行われる。また一部はダイオードなどで整流した直流電圧を電界強度信号（Ｓメーター電圧）として出力している。
【００１７】
このＳメーター電圧は、そのままマイクロコンピューター部４のＡ／Ｄ変換器４１に取り込まれ数値化されたり、または、ＳＤ信号検出回路６に供給される。いずれの場合も、あるしきい値以上で「放送局あり」となる様に設定されていて、放送局有無の判定に使用されている。ＳＤ信号については、チューナ回路２の内部やチューナ回路内部でＳＤ信号検出回路形成されていて、チューナ回路２より直接出力されている事もある。
【００１８】
また、ＩＦカウント部３８におけるＩＦカウント動作では、中間周波数が受信周波数に応じて常に一定値（ＦＭ時１０．７ＭＨｚ）が出力される特性を利用して、一定時間の中間周波数（ＩＦ）信号についてカウント行い、このカウント値と一定時間の計算値と比較し、値が同一かどうかで放送局有無の判定を行なっている。
【００１９】
この判定で「放送局あり」の判定となった場合、マイクロコンピュータ部４は、データシフトレジスタ、ラッチ部３７を経由し、ユニバーサルカウンタ部３６に対し、ＩＦカウント動作の制御データを送り、ＩＦカウント動作が開始される。また同時にマイクロコンピュータ部４は、受信周波数のＩＦカウント動作の処理期間中について、ＳＤ信号やＳメーター電圧に対し、放送局有無の変化についての監視を行う。この時、ＳＤ信号等が「放送局あり」から「放送局なし」に変化があった場合、マイクロコンピュータ部４は上述のように、ユニバーサル、カウンタ部３６に、ＩＦカウント動作の一時停止の制御データを送る。マイクロコンピュータ部４は、ＳＤ信号やＳメーター電圧に対し、引き続き放送局有無の変化について監視を継続し、再びＳＤ信号が「放送局なし」から「放送局あり」へと変化があった場合は、ＩＦカウント動作再開の制御データを上述のようにユニバーサル、カウンタ部３６へ送る。
【００２０】
図３〜図５は、この発明の実施の形態１に係る受信機における自動選局動作時の信号変化を従来の受信機の信号変化に対比して示す図であり、受信周波数の電界強度状態であるＳメーター電圧とその時点の、ＳＤ信号とＩＦ信号、ＩＦカウント動作（制御処理）の状態を時系列的に表したものである。
【００２１】
図３において従来の受信機では、ＳＤ信号等が「放送局あり」と検出され、ＩＦカウント動作が開始され始めると、受信周波数に対するＳＤ信号等での電界状況についての監視が行われていない。このため、従来のＩＦカウント処理に示すように、自動選局動作中に、さまざまな要因により電界状況が変化し、Ｔ２、Ｔ３のＩＦカウント動作のように途中で、ＩＦ信号が抜け落ちた状態でもＩＦカウント動作を行っている。このため、例えばＩＦカウント動作の「放送局有無」の判定基準を、ＩＦカウント動作基本処理時間（例えば４ｍｓｅｃ）あたりについてのＩＦカウント測定値と理論値を比較して、基本処理時間３回中、２回以上一致で「放送局あり」と設定していた場合、従来の受信機のＩＦカウント動作の処理では、図３の様な受信電界状況では「放送局なし」との誤判定となってしまう。
【００２２】
これに対し、この発明の受信機では、ＩＦカウント動作中においても、受信周波数に対する電界状況を、ＳＤ信号などの電界強度信号で監視を行うようにするため、上述のような誤判定を防止できる。図３におけるこの発明のＩＦカウント処理で表している様に、１回目のＩＦカウント動作処理（Ｔ１）が完了し、２回目のＩＦカウント動作処理（Ｔ２）の途中において、電界状況に変化が起き、ＳＤ信号が「放送局なし」へと状態変化を起こした場合、ＩＦカウント動作を、再びＳＤ信号などの電界強度信号が「放送局あり」となる状態になるまで中断する。
【００２３】
また、このように、ＩＦカウント動作基本処理時間の途中で、カウント動作が中断された場合や、ＩＦカウント動作中断中については、そのＩＦカウントについては、無効扱いとし、ＩＦカウント動作処理の判定内容には含めない。再び、ＳＤ信号などの電界強度信号が「放送局あり」の状態になると、ＩＦカウント動作処理（Ｔ４）が再開され、以後、同様な処理を繰り返し実行する。
【００２４】
以上のような処理を実行することで、Ｔ１、Ｔ５、Ｔ６のＩＦカウント動作基本処理時間あたりのＩＦカウント値が一致し、今回発明の受信機では「放送局あり」の判定となる。このように今回の発明は、ＩＦカウント動作実行中についても、受信周波数に対する電界状況の監視をＳＤ信号などを用いて行い、電界状況に対応したＩＦカウント動作の制御を適切に行うことで、誤判定等を低減できる。
【００２５】
また図４において、受信周波数に放送局がない場合でも、受信周波数の隣接に強電界の放送局がある場合、放送電波の帯域特性の影響により、受信周波数の電界強度が、放送局有無設定のしきい値以上になり、「放送局あり」となる場合がある。これの特性の影響により、自動選局時のＳＤ信号などの電界強度信号による放送局判定では、「放送局あり」と判定されるため、ＩＦカウント動作に移行し、ＩＦカウント動作が開始される。ＩＦカウント動作においてこの場合、実際に受信している信号は、隣接の強電界の放送局（周波数）のため、中間周波数（ＩＦ）信号は、隣接の実放送の周波数と受信制御している周波数との差が生じ、異なった中間周波数が出力される。このため、ＩＦカウント信号のカウント値が異なり、ＩＦカウント動作が成立せず「放送局なし」と判定される。
【００２６】
しかしながら、従来の受信機では、図６（ａ）の回路構成においては、例えば車などの移動体においては電界強度が散発、または連続的に変化し、図４の従来のＩＦカウント処理のＴ２、Ｔ３の箇所のように、一時的にＩＦ信号が欠落する場合がある。仮にこのＩＦ信号の欠落時間ΔＴが、制御処理中の受信周波数と、実際の放送の受信周波数との差の周波数に相当するＩＦ信号カウント分であれば、ＩＦカウント値が正常となり、「放送局あり」と判定されため、ミスストップ等の誤判定を引き起こすことがある。
【００２７】
これに対し、この発明の受信機では、図６（ａ）の回路構成においても、図４のこの発明のＩＦカウント処理で示すように、Ｔ２およびＴ４において、ＳＤ信号等の電界強度信号が「放送局なし」となった場合、ＩＦカウントを一時中断し、再び「放送局あり」となった時点で、ＩＦカウント動作をＴ３、Ｔ５のように再開する。この様にこの発明は、ＩＦ信号が欠落している時間は、ＩＦカウント動作を行わない処理をする事で、上述のようなＩＦ信号欠落により発生するミスストップなどの誤判定を低減することができる。
【００２８】
以上のように、この発明の受信機では、ＳＤ信号等の電界強度信号に対応し、ＩＦカウント動作の中断、再開などの制御を行うことで、常に正確なＩＦ信号をカウント計測できるため、誤判定を低減することが出来る。
【００２９】
また、図５の様に、本来なら電界強度が低いため、ノイズ成分が多く、放送内容を聞き取ることが出来ないようなレベルで、ＳＤ信号等の電界強度信号の放送局判定で、「放送局なし」と判定されるような弱電界の受信周波数において、外来ノイズなどの影響により、受信周波数の電界強度が一時的に変化し、電界強度が放送局有無判定で設定した、しきい値を超え「放送局あり」の状態になることがある。
【００３０】
図５で示す様に、自動選局動作で、受信周波数の電界強度信号（ＳＤ信号）チェックと、上記の電界強度の一時的変化のタイミングと一致した場合、「放送局あり」と判定されるため、ＩＦカウント動作に移行し、ＩＦカウント動作が開始される。従来の受信機では、図６（ｂ）のような回路構成のＩＦカウント動作中は、電界強度に対し継続した監視、およびＩＦカウント動作に対する制御がなされていないため、図５の従来のＩＦカウント処理で示すように、ＩＦカウント動作基本処理Ｔ１の途中で、ＳＤ信号等の電界強度信号が「放送局なし」に変化した場合でも、そのままＩＦカウント動作が継続されるため「放送局あり」の判定となる。（通常の自動選局処理では、電界強度が低いため、ＳＤ信号などの電界強度チェックで（IFカウント動作に移行することなく、）「放送局なし」と判定される。）
【００３１】
これに対し、この発明の受信機では、図６（ｂ）のような回路構成でも、ＩＦカウント動作に移行後も電界強度に対してＳＤ信号などで継続して監視、ＩＦカウント動作制御を行っているため、図５のこの発明のＩＦカウント処理で示すように、ＩＦカウント動作基本処理Ｔ１の途中で、受信周波数の電界強度が「放送局なし」に変化した時点で、ＩＦカウント動作を中断するようにＩＦカウント動作の制御を行っているため、ＩＦカウント動作が継続されることはない。
【００３２】
また、電界強度に再び変化が生じない場合、ＩＦカウント動作を永遠に中断し続けることになるため、タイムアウトなどの規定時間を設定し、あらかじめ設定した規定時間内に、ＳＤ信号などの電界強度信号が再び「放送局あり」に変化しない場合は、「放送局なし」と判定し、受信周波数の自動選局処理を終了する処理を設ける。
【００３３】
以上のように、この発明の受信機では、ＩＦカウント移行後もＳＤ信号等の電界強度信号監視し、適切にＩＦカウント動作の制御を行うことで、上述のような誤判定を低減することが出来る。
【００３４】
上記、図３〜図５による説明は、この発明による受信機の動作の一例であり、ＩＦカウント動作の規定処理時間や、ＩＦカウント基本処理の実施回数、判定基準などはあらかじめ何パターンか用意し、ＳＤ信号等の電界強度信号の変化状態に応じて、適切な補正処理が行なえるようにマイコン等のメモリー部に設定しておく事により、より高品位な受信判定を行なうことが出来る。
【００３５】
上述した一連のＩＦカウント処理が完了し、その受信周波数に対する判定が終了する。その後最終的に「放送局あり」の判定となった場合は、指定した自動選局方式の違いにより、その周波数で自動選局動作を完了する場合や、Ｓメーター電圧情報等と組み合わせて、その周波数に対する判定情報をメモリー部に一時的に保存し、次の周波数ステップ（ＵＰ／ＤＯＷＮ）以降について、上述の自動選局判定動作を繰り返し行なう場合などがあり、討議者にとっては周知の事実である。また、ＩＦカウント中断データを使用し品位データとして扱い、受信周波数順に並べることも可能である。
【００３６】
以下、図７のフローチャートを使用し、この発明による受信機の自動選局動作について説明する。図７は、ＩＦカウント動作の基本処理時間のフローを示しており、ＩＦカウント動作の基本処理の一単位である。フローチャート始まりの「ＩＦカウント処理」は、ＳＤ信号などの電界強度信号による放送局判定で、「放送局あり」となり、ＩＦカウント動作に移行した時点を表している。
【００３７】
ステップＳＴ１はタイマー機能であり、ＩＦカウント動作基本処理時間のＩＦカウント値の計測時間についての監視、判定を行なっている。規定時間が経過すると、計測したＩＦカウント値について判定を行なう（ステップＳＴ８）。ＩＦカウント値の計測時間が規定時間を経過していない場合、平行して監視している、ＳＤ信号などの電界強度信号による放送局判定に対して、状態変化の確認、判定を行う（ステップＳＴ２）。
【００３８】
ステップＳＴ２の判定で、電界強度信号による放送局判定で状態変化がない場合は、再びステップＳＴ1の動作に戻る。ステップＳＴ２の判定で、電界強度信号による放送局判定に状態変化があった場合、ＩＦカウント動作を一時停止し、変化した状態（放送局なし）に対して、時間計測を開始（ステップＳＴ３）し、引き続きＳＤ信号などの電界強度信号による放送局判定に対し、状態変化の確認、判定を行なう（ステップＳＴ４）。
【００３９】
ステップＳＴ４の判定で、放送局判定の状態に変化（「放送局なし」→「放送局あり」）があった場合、ＩＦカウント値計測時間についてリセットを行ない、ＩＦカウント動作再開の処理を行い（ステップＳＴ５）ステップＳＴ１の動作に戻る。また、ステップＳＴ４の判定の結果、電界強度信号による放送局判定について、状態変化がなかった場合は、「放送局なし」の状態の時間に対して、規定時間が経過したかどうかについて判定を行なう（ステップＳＴ６）。
【００４０】
ステップＳＴ６の判定の結果、規定時間が経過していない場合は、再びステップｓ４の動作へ戻る。また、ステップＳＴ６の判定の結果、「放送局なし」状態が規定時間を経過している場合、「放送局なし」との確定処理を行ない（ステップＳＴ７）、ＩＦカウント動作基本処理の一単位の動作が終了する。また、ステップＳＴ８のＩＦカウント値の判定で、計測したＩＦカウント値が正常でない場合は、ステップＳＴ７へ行き、「放送局なし」の確定処理が実施される。
【００４１】
ステップＳＴ８の判定で、計測したＩＦカウント値が正常な場合、「放送局あり」との確定処理が行なわれ（ステップＳＴ９）、ＩＦカウント動作基本処理の一単位の動作が終了する。一受信周波数に対するＩＦカウント動作としては、上述のＩＦカウント動作基本処理の一単位を複数回実施し、受信周波数に対するＩＦカウント動作判定を行なっている。例えば上述のＩＦカウント基本処理の一単位を３回実施し、２回以上が「放送局あり」と確定された場合、受信周波数に対するＩＦカウント動作判定として、「放送局あり」との判定処理がおこなわれる。
【図面の簡単な説明】
【００４２】
【図１】この発明の実施の形態１に係る受信機の構成を示すブロック図である。
【図２】ＳＤ信号検出回路の回路構成図である。
【図３】従来の受信機とこの発明の実施の形態１に係る受信機において行われる自動選局の対比動作を示す信号変化図である。
【図４】従来の受信機とこの発明の実施の形態１に係る受信機において行われる自動選局の対比動作を示す信号変化図である。
【図５】従来の受信機とこの発明の実施の形態１に係る受信機において行われる自動選局の対比動作を示すフローチャートである。
【図６】ＳＤ信号の使用例を示す回路図であり、（ａ）はＳＤ信号でＩＦ信号出力回路に接続されたスイッチ素子を制御する回路図、（ｂ）はＳＤ信号を直接マイクロコンピュータ部４のＳＤ信号入力とする回路図である。
【図７】この発明の実施の形態１に係る受信機の自動選局動作を説明するフローチャートである。
【符号の説明】
【００４３】
１  アンテナ、２  チューナ回路、３  ＰＬＬ回路、４  マイコン（制御部）、５  操作部、６  表示部、７  増幅回路、８  スピーカ、９  基準発振回路、１０  ＳＤ信号検出回路、２１  高周波増幅回路、２２  局部発振器、２３  混合回路、２４  中間周波数増幅回路、２５  検波回路、２６  ディエンファシス、ＮＫ回路、３１  ディバイダ、３２  ローパスフイルタ部、３３  位相比較器、３４  プリスケーラ、３５  プログラマブル、ディバイダ、３６  ユニバーサル、カウンタ、３７  データシフトレジスタ、ラッチ。
【図１】
2006295315.tif 000003
【図２】
2006295315.tif 000004
【図３】
2006295315.tif 000005
【図４】
2006295315.tif 000006
【図５】
2006295315.tif 000007
【図６】
2006295315.tif 000008
【図７】
2006295315.tif 000009